(57)【特許請求の範囲】
【請求項１】
本体内所定箇所の空気温度とその設定値との偏差に基づき蒸発器への冷媒の流れを電磁弁を介してオン・オフ制御するショーケースの一または二以上と、これと冷凍サイクルを構成する共通な冷凍機と、これらショーケースおよび冷凍機を総合的に制御する、ショーケースの運転状態に基づいて冷凍機に内蔵されるインバータ圧縮機の吸入冷媒圧力に対する設定値を求める圧力設定値演算部、および、求められた吸入冷媒圧力の設定値とその実際値との偏差に基づいてインバータ圧縮機に対する回転数指令を求める回転数指令演算部を備える総合コントローラとからなり、
圧力設定値演算部は、ショーケースの照明を消灯状態から点灯状態に切り替えたときには、切替え時点から一定時間だけ所定の点灯対応値を吸入冷媒圧力に対する設定値とし、ショーケースの照明を点灯状態から消灯状態に切り替えたときには、切替え時点から一定時間だけ所定の消灯対応値を吸入冷媒圧力に対する設定値とする、ことを特徴とするショーケース冷却装置。
【請求項２】
本体内所定箇所の空気温度とその設定値との偏差に基づき蒸発器への冷媒の流れを電磁弁を介してオン・オフ制御するショーケースの一または二以上と、内蔵する複数圧縮機の選択的運転によって能力制御されるマルチ冷凍機と、これらショーケースおよびマルチ冷凍機を総合的に制御する、ショーケースの運転状態に基づいてマルチ冷凍機の圧縮機用吸入冷媒圧力に対する設定値を求める圧力設定値演算部、および、求められた吸入冷媒圧力の設定値とその実際値の偏差に基づいて、複数圧縮機の選択的運転を指令する冷凍機能力制御部を備える総合コントローラとからなり、
圧力設定値演算部は、ショーケースの照明を消灯状態から点灯状態に切り替えたときには、切替え時点から一定時間だけ所定の点灯対応値を吸入冷媒圧力に対する設定値とし、ショーケースの照明を点灯状態から消灯状態に切り替えたときには、切替え時点から一定時間だけ所定の消灯対応値を吸入冷媒圧力に対する設定値とする、ことを特徴とするショーケース冷却装置。
【請求項３】
請求項１または２に記載の冷却装置において、
点灯対応値と消灯対応値は、それぞれ予め定めた点灯時初期値と、予め定めた消灯時初期値である、ことを特徴とするショーケース冷却装置。
【請求項４】
請求項１または２に記載の冷却装置において、
点灯対応値と消灯対応値は、それぞれショーケースの運転状態に基づき求められた切替え直前の圧力設定値から予め定めた点灯時補正値だけ減算した値と、ショーケースの運転状態に基づき求められた切替え直前の圧力設定値に予め定めた消灯時補正値だけ加算した値である、ことを特徴とするショーケース冷却装置。
【請求項５】
請求項１または２に記載の冷却装置において、
点灯対応値と消灯対応値は、それぞれ前回に照明を点灯状態から消灯状態に切り替えたときの切替え直前の圧力設定値と、前回に照明を消灯状態から点灯状態に切り替えたときの切替え直前の圧力設定値である、ことを特徴とするショーケース冷却装置。
【発明の詳細な説明】
【０００１】
【発明の属する技術分野】
この発明は、たとえば開店時・閉店時などにおけるショーケース照明の一斉点灯・消灯に応じてショーケース温度を適正に定めるようにして、商品の高鮮度維持と省エネルギー化を支援するショーケース冷却装置に関する。
【０００２】
【従来の技術】
ショーケースの冷却装置の一従来例について、図８を参照しながら説明する。ショーケース群１と冷凍機６の間に介在させる形で、両者を総合的・合理的に制御するための、電磁弁運転率演算部３と、圧力設定値演算部４と、回転数指令演算部５からなる総合コントローラ３４を設ける。電磁弁運転率演算部３は、一定時間ごとに、その前の一定時間に対する各電磁弁のオン時間の割合である電磁弁運転率を求める。圧力設定値演算部４は、その求められた電磁弁運転率に基づいて、冷凍機６の側でインバータ８を介して運転される圧縮機９の吸入冷媒圧力に対する次の一定時間に係る設定値（更新）を求める。回転数指令演算部５は、その求められた吸入冷媒圧力の設定値と実際の圧力との偏差に基づいて、圧縮機９に対するインバータ８の次の一定時間に係る回転数指令（更新）を求める。ここで、ショーケース群１は、ショーケース１Ａ，１Ｂ，１Ｃ，…（以下、１Ａ…と表記する）の全てが店舗内で並設されて一つのグループをなすもので、各ショーケース１Ａ…はそれぞれ、蒸発器２Ａ…、この蒸発器２Ａ…への冷媒の流れをオン・オフ制御するショーケース用コントローラ３４Ａ…、冷媒の流れをオン・オフする図示してない電磁弁（後述の図１１の符号３３Ａ…参照）、ショーケースの吹き出し空気の温度を測定する温度センサ１４Ａ…、および、照明４０Ａ…を備える。照明４０Ａ…の点灯・消灯は、照明ＯＮ／ＯＦＦ指令信号（点灯指令信号または消灯指令信号）によっておこなわれる。また、ショーケース内の温度測定箇所として、空気が吹き出す箇所が選ばれた理由は、一つには格納商品の量の多寡によって影響されない箇所であること、もう一つには制御に基づく温度変化が最も先行的に現れる箇所であるから制御上好都合なことによる。
【０００３】
ここで、圧力設定値演算部４は、消費電力量が必要最小限になるように圧力設定値を最適に更新するが、そのためには冷凍機能力とショーケース負荷が分かればよい。実際にこれらを測定するのが困難であるから、冷凍機能力とショーケース負荷のバランスを見ながら、冷凍機能力が不足か、適当か、過剰かを判断し、これに基づいて圧力設定値を最適に更新する。しかも、冷凍機能力とショーケース負荷のバランスを、電磁弁の運転率が低いときには、ショーケース負荷に対して冷凍機能力が過剰、電磁弁の運転率が高いときには、ショーケース負荷に対して冷凍機能力が不足、電磁弁の運転率が適当なときには、ショーケース負荷に対して冷凍機能力が適当、とそれぞれ判断する。
【０００４】
なお、冷凍機能力とショーケース負荷のバランスを、前記のように電磁弁の運転率で判断する代わりに、電磁弁が繰返しオンして冷媒の流れをオンしたときのショーケース内の空気温度の降下速度や、電磁弁が繰返しオン・オフしたときの平均的オン・オフ周期で判断する方式もある。
図９は圧力設定値の更新に係る、圧力設定値／ショーケース運転率対応図である。これは圧力設定値を更新するための経験則で、この内容が図８の圧力設定値演算部４で実施されることになる。つまり、
（１）  少なくとも１台のショーケース（電磁弁）運転率が９０％以上なら冷凍機能力は不足と判断し、圧力設定値を０．０１  ＭＰａ（０．１Ｋｇ／ｃｍ２）  だけ下げ（更新し）て、冷凍機能力を増加させる。
（２）  全てのショーケース（電磁弁）運転率が４０〜９０％なら、冷凍機能力は適当と判断し、圧力設定値をそのまま維持する。
（３）  ショーケース（電磁弁）運転率が全てが９０％以下で、かつ少なくとも１台が４０％以下なら、冷凍機能力は過剰と判断し、圧力設定値を０．０１  ＭＰａだけ上げ（更新し）て、冷凍機能力を減少させる。
【０００５】
マルチ冷凍機が用いられた別の従来例について、図１０〜図１２を参照しながら説明する。図１０は別の従来例の構成を示すブロック図である。図１０において、この別の従来例は、図８の一従来例における総合コントローラ３４に代えて総合コントローラ３４Ｍが、また冷凍機６に代えてマルチ冷凍機６Ｍがそれぞれ用いられる。総合コントローラ３４Ｍは、総合コントローラ３４におけると同じ電磁弁運転率演算部３および圧力設定演算部４と、新たな冷凍機能力制御部５Ｍからなる。この冷凍機能力制御部５Ｍは、前段の圧力設定値演算部４によって求められた吸入冷媒圧力の設定値と、その実際値との偏差に基づいて、次に述べるマルチ冷凍機６Ｍにおける圧縮機群１９の運転パターンを指令し（詳しくは後述する図１２参照）、もってマルチ冷凍機６Ｍの冷凍能力をショーケース負荷に対して最適にする機能をもつ。また、マルチ冷凍機６Ｍは主として、圧縮機群１９と、その吸入冷媒圧力を測定する圧力センサ７からなる。ここで、圧縮機群１９は、詳しくは図１１を参照しながら後述するが、複数の圧縮機が並列接続され、その選択的運転によって冷凍機能力が制御されるように構成される。
【０００６】
図１１は別の従来例の冷凍サイクルの構成を詳細に示すブロック図である。冷凍サイクルは、マルチ冷凍機６Ｍに内蔵された、圧縮機群１９および凝縮器３１と、各ショーケース１Ａ…に内蔵された蒸発器２Ａ…、対応する電磁弁３３Ａ…および温度膨張弁３２Ａ…とから構成される。圧縮機群１９は、ここでは４個の圧縮機９Ａ，９Ｂ，９Ｃ，９Ｄが並列接続されて構成され、各圧縮機９Ａ…の選択的運転によって冷凍機能力を制御することができる。また、蒸発器２Ａ…は互いに並列接続され、この並列接続されたものに圧縮機群１９と凝縮器３１が直列接続され冷凍サイクルが構成される。図１０の各コントローラ３４Ａ…は、それぞれ対応する温度センサ１４Ａからの温度信号とその設定値との偏差に基づき、対応する蒸発器２Ａ…への冷媒の流れをオン・オフ制御する。再び、図１０に戻って、冷媒は、圧縮機群１９から凝縮器３１を経た後に分流して、各蒸発器２Ａ…に流れたり、または流れるのを阻止されてから圧縮機群１９に戻るように循環する。
【０００７】
図１２は圧縮機群１９の運転パターンと冷凍機能力の対応図である。この別の従来例では、５つの運転パターン（１），（２），（３），（４），（５）  があって、各運転パターンのとき運転される圧縮機の組合わせと、そのときの冷凍機能力が示される。運転パターン（３）  で説明すると、このときには各圧縮機９Ａ，９Ｂが同時運転され（○印表示）、冷凍機能力は５０％（全圧縮機が同時運転される運転パターン（５）  のときを１００  ％として）である。なお、ここでは各圧縮機が同じ能力（容量）としてあるが、一般に構成台数と、それぞれの能力は自由に選ぶことができる。
【０００８】
【発明が解決しようとする課題】
以上に述べたように、一従来例や別の従来例では、開店時や閉店時にショーケース群を一斉に照明を点灯したり消灯したりしたとき、ショーケースの負荷は照明に係る負荷分だけ急に増したり減ったりする。一方、総合コントローラ３４，３４Ｍの制御動作の応答性に多少とも遅れがあるので、冷凍機６やマルチ冷凍機６Ｍの冷凍機能力を急速に増大させたり減少させたりすることができない。そのため、照明の点灯時には、一時的にショーケースの温度が適温以上になって商品の高鮮度維持を阻害し、照明の消灯時には、一時的にショーケースの温度が適温以下になって省エネルギー化を阻害することになる。
【０００９】
この発明が解決しようとする課題は、たとえば開店時・閉店時などにおけるショーケース照明の一斉点灯・消灯に応じてショーケース温度を適正に定めるようにして、商品の高鮮度維持と省エネルギー化を支援するショーケース冷却装置を提供することにある。
【００１０】
【課題を解決するための手段】
この発明は、本体内所定箇所の空気温度とその設定値との偏差に基づき蒸発器への冷媒の流れを電磁弁を介してオン・オフ制御するショーケースの一または二以上と、これと冷凍サイクルを構成する共通な冷凍機と、これらショーケースおよび冷凍機を総合的に制御する、ショーケースの運転状態に基づいて冷凍機に内蔵されるインバータ圧縮機の吸入冷媒圧力に対する設定値を求める圧力設定値演算部、および、求められた吸入冷媒圧力の設定値とその実際値との偏差に基づいてインバータ圧縮機に対する回転数指令を求める回転数指令演算部を備える総合コントローラとからなるインバータ冷凍機方式において、または、
本体内所定箇所の空気温度とその設定値との偏差に基づき蒸発器への冷媒の流れを電磁弁を介してオン・オフ制御するショーケースの一または二以上と、内蔵する複数圧縮機の選択的運転によって能力制御されるマルチ冷凍機と、これらショーケースおよびマルチ冷凍機を総合的に制御する、ショーケースの運転状態に基づいてマルチ冷凍機の圧縮機用吸入冷媒圧力に対する設定値を求める圧力設定値演算部、および、求められた吸入冷媒圧力の設定値とその実際値の偏差に基づいて、複数圧縮機の選択的運転を指令する冷凍機能力制御部を備える総合コントローラとからなるマルチ冷凍機方式において、
圧力設定値演算部は、ショーケースの照明を消灯状態から点灯状態に切り替えたときには、切替え時点から一定時間だけ所定の点灯対応値を吸入冷媒圧力に対する設定値とし、ショーケースの照明を点灯状態から消灯状態に切り替えたときには、切替え時点から一定時間だけ所定の消灯対応値を吸入冷媒圧力に対する設定値とする、という構成である。
【００１１】
ここで、点灯対応値と消灯対応値は、
（１）  それぞれ予め定めた点灯時初期値と消灯時初期値であったり、
（２）  それぞれショーケースの運転状態に基づいて求められた切替え直前の圧力設定値から予め定めた点灯時補正値だけ減算した値と、ショーケースの運転状態に基づいて求められた切替え直前の圧力設定値に予め定めた消灯時補正値だけ加算した値であったり、
（３）  それぞれ前回たとえば前日の開店時に照明を点灯状態から消灯状態に切り替えたときの切替え直前の圧力設定値と、前回たとえば前日の閉店時に照明を消灯状態から点灯状態に切り替えたときの切替え直前の圧力設定値である、
という構成をとることができる。
【００１２】
したがって、この発明では、冷凍機がインバータ冷凍機方式、マルチ冷凍機方式にかかわらず、いずれも圧力設定値演算部によって、ショーケースの照明を消灯状態から点灯状態に切り替えたときには、切替え時点から一定時間だけ所定の点灯対応値を吸入冷媒圧力に対する設定値とするから、その一定時間だけ冷凍機能力を増大させて、照明点灯に基づく突然な負荷増大にかかわらず、急速にショーケース温度が適温以上に上昇すること（冷却不足になること）を抑えることができ、また、点灯状態から消灯状態に切り替えたときには、切替え時点から一定時間だけ所定の消灯対応値を吸入冷媒圧力に対する設定値とするから、その一定時間だけ冷凍機能力を減少させて、照明消灯に基づく突然な負荷減少にかかわらず、急速にショーケース温度が適温以下に下降すること（冷却過剰になること）を抑えることができる。言い換えれば、ショーケース照明の点灯・消灯の各切替え時点での冷凍機能力に係る制御応答遅れを補償することができる。各方式の点灯対応値と消灯対応値は、設定の仕方にもよるが、一般的には、前記の各項（１），（２），（３）  の順に復帰時間を短縮、つまり応答遅れを改善することができる。
【００１３】
【発明の実施の形態】
この発明の実施の形態として、第１，第２，第３の各実施例について、以下にそれぞれ図１，図２，図３を参照しながら説明する。なお、第１，第２，第３の各実施例は、いずれも冷凍機がインバータ圧縮機を内蔵するインバータ冷凍機方式の例であって、「課題を解決するための手段」において、点灯対応値と消灯対応値がそれぞれ（１），（２），（３）  の場合に対応する。
【００１４】
図１は第１実施例の構成を示すブロック図である。この第１実施例は、図８に示した一従来例の総合コントローラ３４に代えて総合コントローラ３５が用いられる。この総合コントローラ３５には、総合コントローラ３４に切替器２１と初期値出力部２２と持続器２３が追加設置される。切替器２１は、共通端子と二つの切替え端子をもつ切替えスイッチ形式で、共通端子が回転数指令演算部５に、一方の切替え端子が圧力設定値演算部４に、他方の切替え端子が後述の初期値出力部２２にそれぞれ接続されるように設けられ、照明ＯＮ／ＯＦＦ指令信号（点灯指令信号または消灯指令信号）に応じて、模式的に示した実線と破線の各切替えが持続器２３を介しておこなわれる。すなわち、パルス信号である照明ＯＮ／ＯＦＦ指令信号は、持続器２３によって一定時間Ｔだけ働きが持続される指令信号となり、切替器２１を破線位置に切り替え、一定時間Ｔの後に実線位置に復帰させる。また、初期値出力部２２は、同じタイミングで初期値信号を切替器２１の破線位置側の切替え端子に入力する。
【００１５】
したがって、照明ＯＮ／ＯＦＦ指令信号がないとき、つまり消灯時または点灯時には、圧力設定値演算部４の出力が、実線位置に切り替えられた切替器２１を介して回転数指令演算部５に入力される。照明ＯＮ／ＯＦＦ指令信号が到来すると、まず初期値出力部２２からの初期値信号が、初期の一定時間Ｔだけ破線位置に切り替えられた切替器２１を介して回転数指令演算部５に入力され、次いで一定時間Ｔの経過後には再び圧力設定値演算部４の出力が、実線位置に復帰した切替器２１を介して回転数指令演算部５に入力される。
【００１６】
つまり、ショーケースの照明を消灯状態から点灯状態に切り替えたときには、その切替え時点での冷凍機能力に係る制御応答遅れを補償するように、切替え時点から一定時間Ｔだけ初期値信号が吸入冷媒圧力に対する設定値となって、その一定時間Ｔだけ冷凍機能力を増大させることができる。したがって、照明点灯に基づく突然な負荷増大にかかわらず、急速にショーケース温度、たとえば吹き出し口の空気温度が適温以上に上昇することを抑えることができる。また、点灯状態から消灯状態に切り替えたときには、その切替え時点での冷凍機能力に係る制御応答遅れを補償するように、切替え時点から一定時間Ｔだけ初期値信号が吸入冷媒圧力に対する設定値となるから、その一定時間Ｔだけ若干冷凍機能力を減少させて、照明消灯に基づく突然な負荷減少にかかわらず、急速にショーケース温度が適温以下に下降することを抑え、省エネルギー化を支援することができる。なお、点灯時と消灯時の各初期値信号は、一定時間Ｔとともに変更可能な固定値であり、経験的に定められて、商品の高鮮度維持と省エネルギー化を両立させる形で支援することができる。
【００１７】
第１実施例の動作について、図５の照明動作と圧力設定値のタイムチャートを参照しながら補足説明する。図５において、上側に照明のＯＮ・ＯＦＦ（点灯・消灯）のタイムチャートが、下側に圧力設定値のタイムチャートが時間軸を共通にして示される。照明ＯＮ指令信号に基づいて照明がＯＦＦからＯＮに（消灯状態から点灯状態に）切り替えられたとき、従来は圧力設定値がＳａ  からＳｂ  まで（Ｓａ  ＞Ｓｂ  ）破線のように制御動作の応答遅れを伴って減少方向に変化した。ここで、各値Ｓａ  ，Ｓｂ  はいずれも時間的変動値である。しかし、第１実施例では、圧力設定値がＳａ  からＳ１  まで（Ｓａ  ＞Ｓ１  ）実線のように段階的に、つまり応答遅れなく変化する。しかも、圧力設定値はＳ１  を維持する時間はＴで、この時間Ｔ経過後に再び制御動作に基づいて値Ｓｂ  に復帰する。この復帰は、各値Ｓ１  ，Ｔの設定によって多少とも変わるが、いずれにしても比較的急速におこなわれる。また、照明がＯＮからＯＦＦに（点灯状態から消灯状態に）切り替えられたとき、従来は圧力設定値がＳｂ  からＳａ  まで破線のように制御動作の応答遅れを伴って増加方向に変化した。しかし、第１実施例では、圧力設定値がＳｂ  からＳ２  まで時間Ｔだけ実線のように段階的に変化し、この時間Ｔの経過後は再び制御動作に基づいて値Ｓａ  に比較的急速に復帰する。ここで、各値Ｓ１，Ｓ２  が、それぞれ発明における点灯時初期値，消灯時初期値である。
【００１８】
図２は第２実施例の構成を示すブロック図である。この第２実施例は、図１に示した第１実施例の総合コントローラ３５に代えて総合コントローラ３６が用いられる。この総合コントローラ３６には、第１実施例の総合コントローラ３５において、初期値出力部２２に代えて補正値出力部２５と加算器２６とメモリ２７が設置される。補正値出力部２５は、持続器２３に接続されて、その出力中に予め定めた補正値信号を出力する。メモリ２７は、圧力設定値演算部４と持続器２３に接続されて、点灯時直前（消灯終端時）または消灯時直前（点灯終端時）の圧力設定値をデータとして格納する。その動作についてさらに詳しく言えば、現時点を含む過去一定時間の圧力設定値データの格納を絶えず更新しながら続け、照明ＯＮ／ＯＦＦ指令信号に基づいて、点灯か消灯の切替え直前の圧力設定値データだけを抽出し格納する。切替器２１は、共通端子が回転数指令演算部５に、一方の切替え端子が圧力設定値演算部４に、他方の切替え端子が加算器２６にそれぞれ接続されるように設けられ、照明ＯＮ／ＯＦＦ指令信号（点灯指令信号または消灯指令信号）に応じ、模式的に示した実線と破線の各切替えが持続器２３を介しておこなわれる。照明ＯＮ／ＯＦＦ指令信号は、持続器２３によって一定時間Ｔだけ切替器２１を破線位置に切り替え、一定時間Ｔの後に実線位置に復帰させる。照明ＯＮ指令信号か照明ＯＦＦ指令信号に応じて、一定時間Ｔの間、補正値出力部２５は、それぞれ負の点灯時補正信号か正の消灯時補正値信号を継続的に出力し、メモリ２７は、それぞれ格納された点灯時直前（消灯終端時）か消灯時直前（点灯終端時）の各圧力設定値データを継続的に出力する。その結果、各補正値信号と対応する圧力設定値データの加算値が、加算器２６を介して切替器２１の破線位置側の切替え端子に入力される。
【００１９】
したがって、照明ＯＮ／ＯＦＦ指令信号がないとき、つまり消灯時または点灯時には、圧力設定値演算部４の出力が、実線位置に切り替えられた切替器２１を介して回転数指令演算部５に入力される。照明ＯＮ／ＯＦＦ指令信号が到来すると、まず加算器２６を介して、補正値出力部２５の出力（補正値信号）とメモリ２７の出力（切替え直前の圧力設定値）の加算値が、初期の一定時間Ｔだけ、破線位置をとる切替器２１を介して回転数指令演算部５に入力され、次いで一定時間Ｔの経過後には切替器２１が実線位置に切り替えられて、再び圧力設定値演算部４の出力が回転数指令演算部５に入力される。既に述べたように、補正値出力部２５の出力は、点灯切替え時には負で、消灯切替え時には正であるから、その出力を絶対値としてみたときには、点灯切替え時には、メモリ２７の出力から補正値出力部２５の出力を減算し、消灯切替え時には、メモリ２７の出力に補正値出力部２５の出力を加算することになる。
【００２０】
つまり、ショーケースの照明を消灯状態から点灯状態に切り替えたときには、その切替え時点での冷凍機能力に係る制御応答遅れを補償するように、切替え時点から一定時間Ｔだけ、圧力設定値演算部４の切替え直前の出力に負の補正値信号を加算した値、つまり圧力設定値演算部４の出力から補正値信号の絶対値を減算した値が吸入冷媒圧力に対する設定値となって、その一定時間Ｔだけ冷凍機能力を増大させることができる。したがって、第１実施例におけると同様に、照明点灯に基づく突然な負荷増大にかかわらず、急速にショーケース温度、たとえば吹き出し口の空気温度が適温以上に上昇することを抑えることができる。また、点灯状態から消灯状態に切り替えたときには、その切替え時点での冷凍機能力に係る制御応答遅れを補償するように、切替え時点から一定時間Ｔだけ、圧力設定値演算部４の切替え直前の出力に正の補正値信号を加算した値が吸入冷媒圧力に対する設定値となるから、その一定時間Ｔだけ冷凍機能力を減少させて、照明消灯に基づく突然な負荷減少にかかわらず、急速にショーケース温度が適温以下に下降することを抑え、省エネルギー化を支援することができる。なお、点灯時と消灯時の各補正値信号は、いずれも一定時間Ｔとともに変更可能な固定値であって、経験的に定められて、商品の高鮮度維持と省エネルギー化を両立させる形で支援することができる。
【００２１】
第２実施例の動作について、図６の照明動作と圧力設定値のタイムチャートを参照しながら補足説明する。図６において、圧力設定値のタイムチャートだけが示され、これに対応する照明のＯＮ・ＯＦＦのタイムチャート（図５参照）の図示は省略されている。照明ＯＮ指令信号に基づいて照明がＯＦＦからＯＮに（消灯状態から点灯状態に）切り替えられたとき、従来は既に述べたように圧力設定値がＳａ  からＳｂ  まで破線のように制御動作の応答遅れを伴って変化したが、第２実施例では、圧力設定値の切替え直前の値から補正値Δ１  （発明における点灯時補正値）だけ減算したものとなる。補正値Δ１  だけ減算するのは切替え時点から時間がＴ経過するまでであって、この時間Ｔの経過後は再び制御動作に基づいて値Ｓｂ  に復帰する。これと同様に、照明ＯＦＦ指令信号に基づいて照明がＯＮからＯＦＦに（点灯状態から消灯状態に）切り替えられたとき、従来は圧力設定値がＳｂ  からＳａ  まで破線のように制御動作の応答遅れを伴って変化したが、ここでは切替え直前の圧力設定値に補正値Δ２  （発明における消灯時補正値）を加算したものとなる。補正値Δ２  を加算するのは切替え時点から時間がＴ経過するまでで、この時間Ｔの経過後は再び制御動作に基づいて値Ｓａ  に比較的急速に復帰する。ここで、各補正値Δ１，Δ２  はいずれも正の値とする。
【００２２】
図３は第３実施例の構成を示すブロック図である。この第３実施例は、図１に示した第１実施例の総合コントローラ３５に代えて総合コントローラ３７が用いられる。この総合コントローラ３７は、第１実施例の総合コントローラ３５において、初期値出力部２２に代えてメモリ２７が設置される。切替器２１は、共通端子が回転数指令演算部５に、一方の切替え端子が圧力設定値演算部４に、他方の切替え端子が後述のメモリ２７にそれぞれ接続されるように設けられて、照明ＯＮ／ＯＦＦ指令信号（ここでは、開店時の点灯指令信号または閉店時の消灯指令信号）に応じて、模式的に示した実線と破線の各切替えが持続器２３を介しておこなわれる。すなわち、照明ＯＮ／ＯＦＦ指令信号は、持続器２３によって一定時間Ｔだけ切替器２１を破線位置に切り替え、一定時間Ｔの後に実線位置に復帰させる。メモリ２７は、持続器２３を経由した照明ＯＮ／ＯＦＦ指令信号と、圧力設定値演算部４の出力とが入力され、予め前日の開店時または閉店時（一般的には前回）の照明ＯＮ／ＯＦＦ指令信号に基づき、圧力設定値演算部４の、開店時直前か閉店時直前の各実際の圧力設定値がデータとして格納される。このメモリ２７の動作をさらに詳しく言えば、現時点を含む過去一定時間の圧力設定値データの格納を絶えず更新しながら続け、予め前日の開店時か閉店時（一般的には前回）の照明ＯＮ／ＯＦＦ指令信号に基づいて、開店時直前か閉店時直前の圧力設定値データだけを抽出し格納しておく。次に、この格納された圧力設定値データが、持続器２３を経由した本日（一般的には今回）の照明ＯＮ／ＯＦＦ指令信号に基づいて、切替器２１の破線位置側の切替え端子に入力される。
【００２３】
したがって、照明ＯＮ／ＯＦＦ指令信号がないとき、つまり消灯時または点灯時には、圧力設定値演算部４の出力が、実線位置に切り替えられた切替器２１を介して回転数指令演算部５に入力される。照明ＯＮ／ＯＦＦ指令信号が到来すると、まずメモリ２７に格納された前日の開店時直前または閉店時直前の圧力設定値データが、初期の一定時間Ｔだけ、破線位置に切り替えられた切替器２１を介して回転数指令演算部５に入力され、次いで一定時間Ｔの経過後には再び圧力設定値演算部４の出力が、実線位置に復帰した切替器２１を介して回転数指令演算部５に入力される。
【００２４】
つまり、ショーケースの照明を消灯状態から点灯状態に切り替えたときには、その切替え時点での冷凍機能力に係る制御応答遅れを補償するように、切替え時点から一定時間Ｔだけ、前日の開店時直前の消灯時に係る圧力設定値データが吸入冷媒圧力に対する設定値となって、その一定時間Ｔだけ冷凍機能力を増大させることができる。したがって、開店による照明点灯時にショーケース温度が一時的に適温以上に上昇することを抑えることができる。また、点灯状態から消灯状態に切り替えたときには、その切替え時点での冷凍機能力に係る制御応答遅れを補償するように、切替え時点から一定時間Ｔだけ、前日の閉店時直前の点灯時に係る圧力設定値データが吸入冷媒圧力に対する設定値となって、その一定時間Ｔだけ若干冷凍機能力を減少させることができ、閉店による照明消灯時にショーケース温度が一時的に適温以下に下降することを抑えることができる。なお、格納される各圧力設定値データは、一般的には前回の各切替え直前の圧力設定値データと表現することができる。要するに、第３実施例は基本的考え方として、今回の条件は最も近い過去つまり前回の条件に近似的であると想定されるから、今回の点灯時または消灯時の各対応値データとして、前回の点灯最終時または消灯最終時の実際の各圧力設定値データがそのまま利用できる、とするものである。
【００２５】
第３実施例の動作について、図７の照明動作と圧力設定値のタイムチャートを参照しながら補足説明する。図７において、上側に照明のＯＮ・ＯＦＦ（点灯・消灯）のタイムチャートが、下側に圧力設定値のタイムチャートが時間軸を共通にして示される。照明が今回ＯＦＦからＯＮに（消灯状態から点灯状態に）切り替えられたとき、従来は破線のように制御動作の応答遅れを伴って変化したが、第３実施例では、圧力設定値が、前回に照明を点灯状態から消灯状態に切り替えたときの切替え直前の圧力設定値Ｓｙｅに等しいＳ３  まで実線のように段階的に、つまり応答遅れなく変化する。しかも、圧力設定値はＳ３  をとる時間はＴで、この時間Ｔの経過後は再び制御動作に基づいて値Ｓｂ  に復帰する。この復帰は前回の実際圧力設定値に基づくだけに、その他の負荷条件があまり変化しない限り非常に急速におこなわれる。同様に、照明が今回ＯＮからＯＦＦに（点灯状態から消灯状態に）切り替えられたとき、従来は破線のように制御動作の応答遅れを伴って変化したが、ここでは圧力設定値が、前回に照明を消灯状態から点灯状態に切り替えたときの切替え直前の圧力設定値Ｓｚｅに等しいＳ４  まで実線のように時間Ｔだけ段階的に応答遅れなく変化し、この時間Ｔの経過後は再び制御動作に基づいて値Ｓａ  に非常に急速に復帰する。
【００２６】
ところで、マルチ冷凍機６Ｍを用いた方式では、図１０における総合コントローラ３４Ｍの圧力設定値演算部４と冷凍機能力制御部５Ｍの間に、前記の第１，第２，第３の各実施例におけると同じ切替器２１，２４、初期出力部２２、持続器２３、補正値出力部２５、加算器２６、およびメモリ２７などが選択的に追加設置される構成であって、前記の各実施例にそれぞれ準じた動作をおこなう。したがって、ここでは、マルチ冷凍機６Ｍを用いた方式で、前記の第１実施例に準じた点灯・消灯時の各初期値を切替え時に一定時間だけ加える第４実施例の場合だけについて、その構成を図４に基づいて図示するに留め、その詳しい説明は省略する。また、マルチ冷凍機６Ｍを用いたその他の実施例の図示と説明についても省略する。
【００２７】
【発明の効果】
この発明によれば、冷凍機がインバータ冷凍機方式、マルチ冷凍機方式にかかわらず、いずれも圧力設定値演算部によって、ショーケースの照明を消灯状態から点灯状態に切り替えたとき、切替え時点での冷凍機能力に係る制御応答遅れを補償する形で、その照明点灯時の一定時間だけ冷凍機能力を増大させて、照明点灯に基づく突然な負荷増大にかかわらず、急速にショーケース温度を適温にすることができる。また、点灯状態から消灯状態に切り替えたとき、切替え時点での冷凍機能力に係る制御応答遅れを補償する形で、その照明消灯時の一定定時間だけ冷凍機能力を減少させて、照明消灯に基づく突然な負荷減少にかかわらず、急速にショーケース温度が適温以上に上昇することを抑えることができる。その結果、照明点灯時に一時的にショーケースが冷却不足になって温度が適温以上に上昇することを阻止して、商品の高鮮度維持を支援することができ、また照明消灯時に一時的にショーケースが冷却過剰になって温度が適温以下に下降する（冷え過ぎる）ことを阻止して、省エネルギー化を支援することができる。
【００２８】
しかも、点灯（または消灯）対応値として、（１）  予め定めた点灯時（または消灯時）初期値、（２）  ショーケースの運転状態に基づいて求められた圧力設定値に対し予め定めた点灯時（または消灯時）補正値だけ減算（または加算）した値、（３）  前回、たとえば前日の開店時（または閉店時）に照明を消灯状態から点灯状態（または点灯状態から消灯状態）に切り替えたときの切替え直前の消灯時（または点灯時）における圧力設定値、のうちからいずれかを選択可能である。したがって、設定の仕方が異なり、切替え後の定常状態への復帰パターンに差のある三つの選択肢があるから（一般的には、復帰時間が（１），（２），（３）  の順に短縮される）、商品の高鮮度維持と省エネルギー化を両立させる形で支援するように、より適切な設定方式を柔軟に選択することができる。
【図面の簡単な説明】
【図１】この発明に係る第１実施例の構成を示すブロック図
【図２】第２実施例の構成を示すブロック図
【図３】第３実施例の構成を示すブロック図
【図４】第４実施例の構成を示すブロック図
【図５】第１実施例における照明動作と圧力設定値のタイムチャート
【図６】第２実施例における照明動作と圧力設定値のタイムチャート
【図７】第３実施例における照明動作と圧力設定値のタイムチャート
【図８】一従来例の構成を示すブロック図
【図９】一従来例の圧力設定値更新に係る、圧力設定値／ショーケース運転率対応図
【図１０】別の従来例の構成を示すブロック図
【図１１】別の従来例の冷凍サイクルの構成を詳細に示すブロック図
【図１２】別の従来例の圧縮機群の運転パターンと冷凍機能力対応図
【符号の説明】
４    圧力設定値演算部
５    回転数指令演算部
５Ｍ  冷凍機能力制御部
６    冷凍機
６Ｍ  マルチ冷凍機
７    圧力センサ
８    インバータ
９    圧縮機
１９    圧縮機群
２１    切替器
２２    初期値出力部
２３    持続器
２５    補正値出力部
２６    加算器
２７    メモリ
３５，３６，３７    総合コントローラ
【図１】
0003630207.tif 000002
【図２】
0003630207.tif 000003
【図３】
0003630207.tif 000004
【図４】
0003630207.tif 000005
【図５】
0003630207.tif 000006
【図６】
0003630207.tif 000007
【図７】
0003630207.tif 000008
【図８】
0003630207.tif 000009
【図９】
0003630207.tif 000010
【図１０】
0003630207.tif 000011
【図１１】
0003630207.tif 000012
【図１２】
0003630207.tif 000013